(57)【要約】【課題】意図しない点灯を防止することができる照明装置を提供する。【解決手段】照明装置は、電源入切用スイッチの有／無をそれぞれ示す有情報（有モード）及び無情報（無モード）を設定する設定部と、電源印加の有無を検出する電源検出部とを備える。電源入切用スイッチは、例えば、壁などに設けられた壁スイッチである。そして、設定部は、電源検出部で電源印加有りの検出時点からの経過時間が所定の第１閾値より長い場合、無情報（無モード）を設定するようにしてある。【選択図】図２
2014241268.tif 000002
【特許請求の範囲】
【請求項１】
電源入切用スイッチの有／無をそれぞれ示す有情報及び無情報を設定する設定部と、
電源印加の有無を検出する電源検出部と
を備え、
前記設定部は、
前記電源検出部で電源印加有りの検出時点からの経過時間が所定の第１閾値より長い場合、無情報を設定するようにしてあることを特徴とする照明装置。
【請求項２】
前記設定部は、
前記電源検出部で壁調光動作を検出した場合、有情報を設定するようにしてあることを特徴とする請求項１に記載の照明装置。
【請求項３】
前記設定部は、
有情報を設定した場合に、さらに前記電源検出部で電源印加有りの状態を前記第１閾値より長い第２閾値より長い時間検出したときは、無情報を設定するようにしてあることを特徴とする請求項１又は請求項２に記載の照明装置。
【請求項４】
前記設定部は、
無情報を初期設定してあることを特徴とする請求項１から請求項３までのいずれか１項に記載の照明装置。
【請求項５】
光源と、
遠隔操作器から前記光源の消灯を要求する信号を受信する受信部と、
該受信部で前記光源の消灯を要求する信号を受信してあり、前記電源検出部で電源印加有りを検出した場合に、前記設定部で有情報を設定してあるときは、前記光源を点灯状態にし、前記設定部で無情報を設定してあるときは、前記光源を消灯状態とする光源駆動部と
を備えることを特徴とする請求項１から請求項４までのいずれか１項に記載の照明装置。
【発明の詳細な説明】
【技術分野】
【０００１】
本発明は、遠隔操作器により遠隔操作を行うことができる照明装置に関する。
【背景技術】
【０００２】
天井又は壁などに設置された照明装置は、壁に設けられた壁スイッチ、照明装置から引き出された操作紐、あるいは赤外線リモコンなどを操作することにより、点灯又は消灯を行うことができる。また、利用者の好み、照明装置の設置場所又は照明装置を使用する時間帯などに応じて、光源の明るさを調整することができる調光機能を備えた照明装置も広く使用されている。
【０００３】
例えば、壁などに設けられた電源スイッチ及びリモートコントローラでのオンオフ操作により照明負荷の切り替え及び点灯モードの切り替えを可能とした照明装置が開示されている（特許文献１参照）。
【先行技術文献】
【特許文献】
【０００４】
【特許文献１】特開平５−２５８８６４号公報
【発明の概要】
【発明が解決しようとする課題】
【０００５】
特許文献１の照明装置では、リモートコントローラにより消灯状態にした場合に、電源の一定時間以内の遮断を複数回検出することにより、複数の照明負荷の切り替え、あるいは複数の点灯モードの切り替えを行うので、例えば、壁スイッチで電源切から電源入の操作をしても、光源が点灯せずに消灯のままとなり、ユーザが不便を感じる場合がある。
【０００６】
そこで、リモートコントローラにより消灯状態にした場合に、壁スイッチで電源切から電源入の操作をしたときに、光源が点灯するようにできる。しかし、このようにすると、例えば、停電により電源の遮断が発生した場合に、電源が復帰したときは、電源切から電源入の操作が行われたのと同じ状態となるため、リモートコントローラにより消灯にしたはずの光源が点灯してしまう。特に、ユーザが不在のときに、停電等が発生すると、光源が点灯したままの状態が続くことになり、好ましくない。
【０００７】
本発明は斯かる事情に鑑みてなされたものであり、意図しない点灯を防止することができる照明装置を提供することを目的とする。
【課題を解決するための手段】
【０００８】
本発明に係る照明装置は、電源入切用スイッチの有／無をそれぞれ示す有情報及び無情報を設定する設定部と、電源印加の有無を検出する電源検出部とを備え、前記設定部は、前記電源検出部で電源印加有りの検出時点からの経過時間が所定の第１閾値より長い場合、無情報を設定するようにしてあることを特徴とする。
【０００９】
本発明に係る照明装置は、前記設定部は、前記電源検出部で壁調光動作を検出した場合、有情報を設定するようにしてあることを特徴とする。
【００１０】
本発明に係る照明装置は、前記設定部は、有情報を設定した場合に、さらに前記電源検出部で電源印加有りの状態を前記第１閾値より長い第２閾値より長い時間検出したときは、無情報を設定するようにしてあることを特徴とする。
【００１１】
本発明に係る照明装置は、前記設定部は、無情報を初期設定してあることを特徴とする。
【００１２】
本発明に係る照明装置は、光源と、遠隔操作器から前記光源の消灯を要求する信号を受信する受信部と、該受信部で前記光源の消灯を要求する信号を受信してあり、前記電源検出部で電源印加有りを検出した場合に、前記設定部で有情報を設定してあるときは、前記光源を点灯状態にし、前記設定部で無情報を設定してあるときは、前記光源を消灯状態とする光源駆動部とを備えることを特徴とする。
【発明の効果】
【００１３】
本発明によれば、意図しない点灯を防止することができる。
【図面の簡単な説明】
【００１４】
【図１】本実施の形態の照明装置の設置例を示す説明図である。
【図２】本実施の形態の照明装置の構成の一例を示すブロック図である。
【図３】壁ＳＷ有モード及び無モードの設定の第１の実施例を示すタイムチャートである。
【図４】壁ＳＷ有モード及び無モードの設定の第２の実施例を示すタイムチャートである。
【図５】壁ＳＷ有モードの設定の第３の実施例を示すタイムチャートである。
【図６】２つのモードと点灯制御との関係の一例を示す説明図である。
【図７】本実施の形態の照明装置の設置時の壁ＳＷ無モードが初期設定されている場合のモード設定の処理手順の一例を示すフローチャートである。
【図８】本実施の形態の照明装置の設置時の壁ＳＷに関するモードの初期設定されていない場合のモード設定の処理手順の一例を示すフローチャートである。
【図９】本実施の形態の照明装置の壁ＳＷ無モードが設定されている場合に２回目以降の電源投入時のモード設定の処理手順の一例を示すフローチャートである。
【図１０】本実施の形態の照明装置の壁ＳＷ有モードが設定されている場合に２回目以降の電源投入時のモード設定の処理手順の一例を示すフローチャートである。
【発明を実施するための形態】
【００１５】
以下、本発明をその実施の形態を示す図面に基づいて説明する。図１は本実施の形態の照明装置１００の設置例を示す説明図であり、図２は本実施の形態の照明装置１００の構成の一例を示すブロック図である。図１Ａは、照明装置１００と商用電源１との間に電源入切用スイッチとしての壁スイッチ２（以下、「壁ＳＷ２」とも称する）を介装した構成であり、いわゆる壁ＳＷ有の設置例を示す。図１Ｂは、照明装置１００と商用電源１との間に壁スイッチ２（以下、「壁ＳＷ２」とも称する）が介装されておらず、いわゆる壁ＳＷ無の設置例を示す。本実施の形態の照明装置１００は、壁ＳＷ２の有無を検出することができる。
【００１６】
図２に示すように、照明装置１００は、ヒューズ１１、整流回路１２、スイッチング回路１３、定電流回路１４、ＰＷＭ制御回路１５、例えば、ＬＥＤなどで構成される光源部１６、電源印加検出回路１７、制御用マイクロコンピュータ１８、受光部１９、メモリ２０などを備える。なお、光源部１６は、ＬＥＤに限定されるものではない。
【００１７】
ヒューズ１１は、照明装置１００内部に短絡などの異常が発生した場合に、照明装置１００を保護するために所定値以上の過電流を遮断するためのものである。整流回路１２は、ＡＣ１００Ｖを全波整流して直流に変換する。
【００１８】
スイッチング回路１３は、例えば、トランジスタ又はＦＥＴなどで構成され、所定の周波数でスイッチング動作（例えば、１対のトランジスタを交互にオン／オフさせる動作）することにより、所定の電圧値に変換された交番電圧を出力する。
【００１９】
定電流回路１４は、整流回路、トランジスタ、演算増幅器などを備え、スイッチング回路１３から供給される交番電圧を直流電圧（例えば、３３Ｖ）に変換するとともに、出力電流が一定になるように制御する。
【００２０】
ＰＷＭ制御回路１５は、光源駆動部としての機能を有し、定電流回路１４から出力された直流電圧に対してパルス幅変調を行うことにより、光源部１６に供給する電流を制御する。より詳細には、制御用マイクロコンピュータ１８は、光源部１６の点灯（全点灯、１００％調光）、消灯、調光レベルに応じた制御信号をＰＷＭ制御回路１５へ出力し、ＰＷＭ制御回路１５は、取得した制御信号に基づいて、光源部１６の点灯（全点灯、１００％調光）、消灯、調光制御を行う。
【００２１】
電源印加検出回路１７は、電源検出部としての機能を有し、照明装置１００に供給されるＡＣ１００Ｖの有無（電源印加の有無）を検出し、検出結果を制御用マイクロコンピュータ１８へ出力する。
【００２２】
受光部１９は、利用者が操作する遠隔操作器としての不図示のリモートコントロール（以下、「リモコン」とも称する）からの赤外線を受光し、リモコンから送信された信号を抽出し、抽出した信号を制御用マイクロコンピュータ１８へ出力する。リモコンから送信される信号は、例えば、光源を点灯、消灯、調光及び調色するためのものである。
【００２３】
メモリ２０は、制御用マイクロコンピュータ１８が所定の処理を行う際に必要なデータを記憶するとともに、処理結果なども記憶する。メモリ２０は、照明装置１００の２つモードのいずれかを選択可能に記憶する。ここで、２つのモードとは、壁ＳＷ２（電源入切用スイッチ）の有／無をそれぞれ示す有モード（有情報）及び無モード（無情報）である。すなわち、有モード（壁ＳＷ有モード）は、壁ＳＷ２が設けられていることを示し、無モード（壁ＳＷ無モード）は、壁ＳＷ２が設けられていないことを示す。なお、本実施の形態では、有情報は有モードとも称し、無情報は無モードとも称する。
【００２４】
制御用マイクロコンピュータ１８は、タイマ機能を有し、電源印加検出回路１７で電源印加有り（ＡＣ１００Ｖあり）を検出した時点でタイマカウントスタートする。また、制御用マイクロコンピュータ１８は、電源印加検出回路１７で電源印加有り（ＡＣ１００Ｖあり）を検出した後、電源印加無し（ＡＣ１００Ｖなし）を検出した時点でタイマカウントを停止しタイマによるカウント時間（電源印加時間）を算出する。
【００２５】
また、制御用マイクロコンピュータ１８は、壁ＳＷ有モード（有モード）又は壁ＳＷ無モード（無モード）を設定する設定部としての機能を有する。
【００２６】
図３は壁ＳＷ有モード及び無モードの設定の第１の実施例を示すタイムチャートである。図３Ａに示すように、制御用マイクロコンピュータ１８は、電源印加検出回路１７で電源印加有りの検出の時点ｔ０からカウントした時間Ｔ（検出の時点ｔ０からの経過時間）が所定の第１閾値Ｔ１までの間、電源印加有りの状態が継続した場合、壁ＳＷ無モード（無情報）を設定する。第１閾値Ｔ１は、例えば、２４時間とすることができる。すなわち、壁ＳＷ２が設けられている場所に照明が設置される場合には、少なくとも照明を設置した日の内に１回は、照明装置１００の電源の入切操作を壁ＳＷ２で行うと考えられるので、電源が印加されてから電源切となるまでの時間Ｔが、第１閾値Ｔ１より長い場合には、壁ＳＷ２が設けられていないと判定することができ、無モードに設定する。そして、例えば、リモコンで照明装置１００を消灯状態にした場合に、無モードに設定されたときは、電源の切入があっても、それは壁ＳＷ２による操作ではなく、停電により意図しない電源の切入であるとして光源部１６の消灯状態を維持することにより、意図しない点灯を防止することができる。
【００２７】
また、図３Ｂに示すように、制御用マイクロコンピュータ１８は、時点ｔ０において電源印加検出回路１７で電源印加有りを検出した後、電源切を検出した場合、壁ＳＷ有モード（有情報）を設定する。電源が印加されてから電源切となると、壁ＳＷ２が設けられていると判定することができ、有モードを設定する。そして、例えば、有モードに設定されたときは、リモコンで照明装置１００を消灯状態にした場合に電源の切入があれば、それは壁ＳＷ２による操作であるとして、光源部１６を点灯させることにより、壁ＳＷ２による点灯、消灯、壁調光、壁調色が可能となる。
【００２８】
なお、図３において、電源が印加される時点ｔ０は、例えば、工場を出荷した照明装置１００が、設置個所で設置され、不図示の電源端子に商用電源１からの電源線を接続した時点を想定することができる。本実施例中では、時間Ｔを２４時間としたが、あくまで例示であってこれに限られず、時間Ｔは１時間でも２時間でもよい。本実施例では電源印加中に瞬時停電が発生すると、電源は切・入となり、壁ＳＷ２がない場合でも壁ＳＷ有と判定してしまう。そこで、例えば、１００ｍｓｅｃ間の電源オフ期間は瞬時停電であると判定することにより、モードの状態を変化させないことが可能となる。
【００２９】
次に、照明装置１００が一旦設置された後、電源印加の有無を判定する際のモード設定について説明する。図４は壁ＳＷ有モード及び無モードの設定の第２の実施例を示すタイムチャートである。図４では、１回目の電源投入と、２回目の電源投入を示す。そして、図４に示すように、１回目の電源投入により、制御用マイクロコンピュータ１８は、壁ＳＷ有モードに設定したとする。
【００３０】
制御用マイクロコンピュータ１８は、例えば、工場出荷後の照明装置１００の設置時に、有モードを設定した場合に、さらに電源印加検出回路１７で電源印加有りの状態（図４で時点ｔ３）を第２閾値Ｔ２（＞第１閾値Ｔ１）より長い時間検出したときは、無モードを設定する。
【００３１】
図４に示すように、照明装置１００を設置するときに、電源が印加され、その後電源の印加が無くなった場合に、仮に誤って壁ＳＷ有モードと設定されたときでも、それ以降の電源印加時点ｔ３からカウントした時間Ｔ（時点ｔ３からの経過時間）が第２閾値Ｔ２（＞第１閾値Ｔ１）より長い場合には、壁ＳＷ無モードを設定することができる。
【００３２】
これにより、誤って有モードに設定された場合でも無モードに正しく設定し直すことができる。また、第２閾値Ｔ２を第１閾値Ｔ１より長くすることにより、例えば、壁ＳＷ２がある部屋に照明装置を設置しているユーザの不在の期間が続き、電源切が所定の期間行われないことにより、壁ＳＷ２が有るにも係らず壁ＳＷ無モードと設定される場合を抑制することができる。また、壁ＳＷ２が有る部屋から壁ＳＷ２がない部屋に照明装置が移設される場合であっても、第２閾値Ｔ２の期間、電源印加がないことにより壁ＳＷ無モードを設定することができる。
【００３３】
図５は壁ＳＷ有モードの設定の第３の実施例を示すタイムチャートである。図５Ａに示すように、制御用マイクロコンピュータ１８は、所定時間内に、電源印加検出回路１７で壁調光動作を検出した場合、壁ＳＷ有モードを設定する。壁調光動作とは、例えば、壁ＳＷ２が切の状態から壁ＳＷ２の入・切の操作、又は壁ＳＷ２が入の状態から壁ＳＷ２の切・入の操作などである。図５Ａの例では、電源印加有りの状態から時間Δｔの間だけ電源印加無しの状態となり、その後電源印加有りの状態となっている。すなわち、電源印加有りから無しの状態になり、再度有りの状態になるまでの時間Δｔが所定時間内である場合、壁ＳＷ有モードを設定する。なお、所定時間は、例えば、２秒とすることができるが、これに限定されるものでない。
【００３４】
また、図５Ｂに示すように、制御用マイクロコンピュータ１８は、所定時間内に、電源印加検出回路１７で壁調光動作を検出した場合、壁ＳＷ有モードを設定する。図５Ｂの例では、電源印加無しの状態から時間Δｔの間だけ電源印加有りの状態となり、その後電源印加無しの状態となっている。すなわち、電源印加無しから有りの状態になり、再度無しの状態になるまでの時間Δｔが所定時間内である場合、壁ＳＷ有モードを設定する。なお、所定時間は、図５Ａの場合と同様である。
【００３５】
例えば、照明装置１００が、壁ＳＷ２がない箇所に設置されて無モードを設定したとする。当該照明装置１００を壁ＳＷ２がある箇所に移設したときは、壁調光動作、すなわち壁ＳＷ２の切・入の操作、あるいは壁ＳＷ２の入・切の操作を短時間（例えば、２秒など）内に行うだけで有モードに簡単にモードを変更することができる。
【００３６】
なお、本実施の形態において、壁調光動作を検出するとは、例えば、壁ＳＷ２を、１回だけ切・入の操作をする場合を含むだけでなく、２回以上続けて切・入操作を行う場合も含む。また、同様に、例えば、壁ＳＷ２を、１回だけ入・切の操作をする場合を含むだけでなく、２回以上続けて入・切操作を行う場合も含む。
【００３７】
照明装置１００は、工場出荷時点において、初期状態として壁ＳＷ無モードを設定（初期設定）することができる。壁ＳＷ無モードを初期設定してあるので、電源の切入があっても停電により意図しない電源の切入であるとして光源の状態（例えば、消灯状態）を維持することにより、意図しない点灯を防止することができる。
【００３８】
次に、２つのモードと点灯制御との関係について説明する。図６は２つのモードと点灯制御との関係の一例を示す説明図である。図６に示すように、リモコンで消灯状態にし、かつ電源印加無しから有りに変わった場合、すなわち、受光部１９で光源部１６の消灯を要求する信号を受信してあり、電源印加検出回路１７で電源印加無しから電源印加有りを検出した場合に、壁ＳＷ有モードを設定してあるときは、制御用マイクロコンピュータ１８は、ＰＷＭ制御回路１５を制御して光源部１６を点灯状態にする。これにより、壁ＳＷ２を設けてある場合には、壁ＳＷ２の入切操作により、光源の点灯・消灯を行うことができる。
【００３９】
また、リモコンで消灯状態にし、かつ電源印加無しから有りに変わった場合、すなわち、受光部１９で光源部１６の消灯を要求する信号を受信してあり、電源印加検出回路１７で電源印加無しから電源印加有りを検出した場合に、壁ＳＷ無モードを設定してあるときは、制御用マイクロコンピュータ１８は、ＰＷＭ制御回路１５を制御して光源部１６を消灯のままにする。これにより、壁ＳＷ２が設置されていない箇所で照明装置１００を使用する場合でも、停電による意図しない点灯を防止することができる。
【００４０】
また、壁ＳＷ有モードを設定してあるときは、制御用マイクロコンピュータ１８は、壁ＳＷ調光を有効し、例えば、壁ＳＷ調光を実行して調光変化させる。
【００４１】
ここで、壁ＳＷ調光は、壁ＳＷ２を操作して、電源をオン状態にした時点から、例えば、１０秒以内に所定時間（例えば、２秒以内）の電源オフの操作の後電源オンにした場合には、照明装置１００の点灯状態を、所定の順序に従って切り替える。例えば、全灯（１００％）、７５％調光、５０％調光、２５％調光、消灯、全灯（１００％）の如くである。また、調色機能が備わっている照明装置の場合には、全灯（寒色）、全灯（暖色）、常夜灯、消灯、全灯の如く設定することも可能である。これにより、壁ＳＷ２が設置されている場合には、壁ＳＷ調光を行うことができる。
【００４２】
なお、壁ＳＷ２を操作して、壁ＳＷ有モードを設定する場合と、光源の点灯状態（全点灯、消灯、調光状態）を切り替える場合とで、所定時間（例えば、２秒）を同一にしてもよく、所定時間を異なるようにしてもよい。例えば、所定時間を同一にする場合は、壁ＳＷ２を順次入・切操作を繰り返すことにより、壁ＳＷ有モードを設定、全灯（１００％）、７５％調光、５０％調光、２５％調光、消灯、全灯（１００％）の如く移行させることができる。また、一旦壁ＳＷ有モードに設定された場合は、壁ＳＷ２を順次入・切操作を繰り返すことにより、例えば、全灯（１００％）、７５％調光、５０％調光、２５％調光、消灯、全灯（１００％）の如く移行させればよい。
【００４３】
また、壁ＳＷ無モードを設定してあるときは、制御用マイクロコンピュータ１８は、壁ＳＷ調光を無効にし、壁ＳＷ有モードへ移行し、壁ＳＷ調光は行わない。
【００４４】
図７は本実施の形態の照明装置１００の設置時の壁ＳＷ無モードが初期設定されている場合のモード設定の処理手順の一例を示すフローチャートである。制御用マイクロコンピュータ１８は、壁ＳＷ無モードを設定してあり（Ｓ１１）、電源印加検出し（Ｓ１２）、タイマカウントスタートする（Ｓ１３）。
【００４５】
制御用マイクロコンピュータ１８は、電源印加有りか否かを判定し（Ｓ１４）、電源印加有りの場合（Ｓ１４でＹＥＳ）、電源印加時間Ｔが第１閾値Ｔ１より長いか否かを判定する（Ｓ１５）。電源印加時間Ｔが第１閾値Ｔ１より短い場合（Ｓ１５でＮＯ）、制御用マイクロコンピュータ１８は、ステップＳ１４以降の処理を続ける。
【００４６】
電源印加時間Ｔが第１閾値Ｔ１より長い場合（Ｓ１５でＹＥＳ）、制御用マイクロコンピュータ１８は、壁ＳＷ無モードを維持し（Ｓ１６）、処理を終了する。電源印加無しの場合（Ｓ１４でＮＯ）、制御用マイクロコンピュータ１８は、壁ＳＷ有モードを設定し（Ｓ１７）、処理を終了する。
【００４７】
図８は本実施の形態の照明装置１００の設置時の壁ＳＷ２に関するモードの初期設定されていない場合のモード設定の処理手順の一例を示すフローチャートである。図８の例は、壁ＳＷ２に関するモードが無モードにも有モードにも設定されていない場合の処理を示す。
【００４８】
制御用マイクロコンピュータ１８は、電源印加検出し（Ｓ２１）、タイマカウントスタートする（Ｓ２２）。制御用マイクロコンピュータ１８は、電源印加有りか否かを判定し（Ｓ２３）、電源印加有りの場合（Ｓ２３でＹＥＳ）、電源印加時間Ｔが第１閾値Ｔ１より長いか否かを判定する（Ｓ２４）。
【００４９】
電源印加時間Ｔが第１閾値Ｔ１より短い場合（Ｓ２４でＮＯ）、制御用マイクロコンピュータ１８は、ステップＳ２３以降の処理を続ける。電源印加時間Ｔが第１閾値Ｔ１より長い場合（Ｓ２４でＹＥＳ）、制御用マイクロコンピュータ１８は、壁ＳＷ無モードに設定し（Ｓ２５）、処理を終了する。電源印加無しの場合（Ｓ２３でＮＯ）、制御用マイクロコンピュータ１８は、壁ＳＷ有モードに設定し（Ｓ２６）、処理を終了する。
【００５０】
図９は本実施の形態の照明装置１００の壁ＳＷ無モードが設定されている場合に２回目以降の電源投入時のモード設定の処理手順の一例を示すフローチャートである。図９の例では、すでに壁ＳＷ無モードが設定されている。制御用マイクロコンピュータ１８は、電源印加検出し（Ｓ３１）、タイマをオンする。
【００５１】
制御用マイクロコンピュータ１８は、壁調光ありか否かを判定する（Ｓ３２）。ここで、壁調光ありとは、例えば、壁調光動作が行われたか否かを判定することと同意である。
【００５２】
壁調光なしの場合（Ｓ３２でＮＯ）、制御用マイクロコンピュータ１８は、ステップＳ３２の処理を続ける。壁調光ありの場合（Ｓ３２でＹＥＳ）、制御用マイクロコンピュータ１８は、壁ＳＷ有モードに設定し（Ｓ３３）、処理を終了する。
【００５３】
図１０は本実施の形態の照明装置１００の壁ＳＷ有モードが設定されている場合に２回目以降の電源投入時のモード設定の処理手順の一例を示すフローチャートである。図１０の例では、すでに壁ＳＷ有モードが設定されている。制御用マイクロコンピュータ１８は、電源印加検出し（Ｓ４１）、タイマカウントスタートする（Ｓ４２）。
【００５４】
制御用マイクロコンピュータ１８は、壁調光ありか否かを判定する（Ｓ４３）。壁調光なしの場合（Ｓ４３でＮＯ）、制御用マイクロコンピュータ１８は、電源印加時間Ｔが第２閾値Ｔ２より長いか否かを判定し（Ｓ４４）、電源印加時間Ｔが第２閾値Ｔ２より短い場合（Ｓ４４でＮＯ）、ステップＳ４３以降の処理を繰り返す。
【００５５】
電源印加時間Ｔが第２閾値Ｔ２より長い場合（Ｓ４４でＹＥＳ）、制御用マイクロコンピュータ１８は、壁ＳＷ無モードに設定し（Ｓ４５）、処理を終了する。壁調光ありの場合（Ｓ４３でＹＥＳ）、制御用マイクロコンピュータ１８は、タイマをリセットし（Ｓ４６）、ステップＳ４２以降の処理を続ける。
【００５６】
上述のように、本実施の形態の照明装置１００によれば、壁ＳＷ２の有無を検出することができるので、壁ＳＷ２がない場合、停電による意図しない点灯を防止することができる。また、壁ＳＷ２が有る場合、壁ＳＷ２による点灯、消灯、調光動作を行いたいときは、壁ＳＷ２を用いて点灯、消灯、調光を行うことができる。また、照明装置１００を別の場所に移設した場合に、壁ＳＷ２の有無の状況が変化しても、壁ＳＷ２の有無を検出することができ、移設後の状況に対応させることができる。また、一旦壁ＳＷ無モードを設定した場合でも、壁ＳＷ２を操作することにより、壁ＳＷ有モードに復帰又は変更させることができる。
【００５７】
以上のように、本発明に係る照明装置は、電源入切用スイッチ（２）の有／無をそれぞれ示す有情報及び無情報を設定する設定部（１８）と、電源印加の有無を検出する電源検出部（１７）とを備え、前記設定部は、前記電源検出部で電源印加有りの検出時点からの経過時間が所定の第１閾値より長い場合、無情報を設定するようにしてあることを特徴とする。
【００５８】
本発明にあっては、設定部（１８）は、電源入切用スイッチ（２）の有／無をそれぞれ示す有情報及び無情報を設定する。なお、有情報は、有モードとも称し、無情報は無モードとも称する。すなわち、設定部は有モード及び無モードの２つのモードを設定する。電源入切用スイッチは、照明装置本体に具備したスイッチではなく、例えば、壁などに設けられた壁ＳＷ（壁スイッチ）であり、壁ＳＷを操作することにより、電源入操作及び電源切操作を行うことができる。すなわち、有モード（壁ＳＷ有モード）は、壁ＳＷが設けられていることを示し、無モード（壁ＳＷ無モード）は、壁ＳＷが設けられていないことを示す。電源検出部（１７）は、電源印加の有無を検出する。すなわち、電源検出部は、照明装置に電源（例えば、商用電源）が印加されたか否かを検出する。
【００５９】
そして、設定部は、電源検出部で電源印加有りの検出時点からの経過時間Ｔが所定の第１閾値Ｔ１より長い場合、無モード（無情報）を設定する。第１閾値Ｔ１は、例えば、２４時間とすることができる。すなわち、壁ＳＷが設けられている場合には、少なくとも１日に１回は、照明装置の電源の入切操作を壁ＳＷにより行うと考えられるので、電源が印加されてからの経過時間Ｔが、第１閾値Ｔ１より長い場合には、壁ＳＷが設けられていないとして無モードを設定する。そして、無モードに設定された場合には、電源の切入があっても停電により意図しない電源の切入であるとして光源の状態（例えば、消灯状態）を維持することにより、意図しない点灯を防止することができる。
【００６０】
本発明に係る照明装置は、前記設定部（１８）は、前記電源検出部（１７）で壁調光動作を検出した場合、有情報を設定するようにしてあることを特徴とする。
【００６１】
本発明にあっては、設定部（１８）は、電源検出部（１７）で壁調光動作を検出した場合、有モード（有情報）を設定する。壁調光動作は、例えば、壁ＳＷの入・切の操作、又は壁ＳＷの切・入の操作などである。例えば、照明装置が、壁ＳＷがない箇所に設置されて無モードを設定したとする。当該照明装置を壁ＳＷがある箇所に移設したときは、壁ＳＷの入・切の操作、又は壁ＳＷの切・入の操作を行うだけで有モードに簡単にモードを変更することができる。
【００６２】
本発明に係る照明装置は、前記設定部（１８）は、有情報を設定した場合に、さらに前記電源検出部（１７）で電源印加有りの状態を前記第１閾値より長い第２閾値より長い時間検出したときは、無情報を設定するようにしてあることを特徴とする。
【００６３】
本発明にあっては、設定部（１８）は、有モードを設定した場合に、さらに電源検出部（１７）で電源印加有りの状態を第２閾値（＞第１閾値）より長い時間検出したときは、無モード（無情報）を設定する。例えば、工場出荷後に最初に照明装置を設置するときに、電源が印加され、その後電源の印加が無くなった場合に、仮に誤って有モードを設定したときでも、それ以降の電源印加時点から印加がなくなるまでの時間Ｔが第２閾値Ｔ２（＞第１閾値Ｔ１）より長い場合には、無モードを設定する。これにより、誤って有モードを設定した場合でも無モードに正しく設定し直すことができる。また、第２閾値を第１閾値より長くすることにより、再度誤って有モードと設定することを抑制することができる。
【００６４】
本発明に係る照明装置は、前記設定部（１８）は、無情報を初期設定してあることを特徴とする。
【００６５】
本発明にあっては、設定部（１８）は、無モードを初期設定してある。初期設定は、例えば、照明装置の工場出荷時の設定である。無モードに初期設定してあるので、電源の切入があっても停電により意図しない電源の切入であるとして光源の状態（例えば、消灯状態）を維持することにより、意図しない点灯を防止することができる。
【００６６】
本発明に係る照明装置は、光源（１６）と、遠隔操作器から前記光源の消灯を要求する信号を受信する受信部（１９）と、該受信部で前記光源の消灯を要求する信号を受信してあり、前記電源検出部（１７）で電源印加有りを検出した場合に、前記設定部（１８）で有情報を設定してあるときは、前記光源を点灯状態にし、前記設定部で無情報を設定してあるときは、前記光源を消灯状態とする光源駆動部（１５）とを備えることを特徴とする。
【００６７】
本発明にあっては、光源駆動部（１５）は、受信部（１９）で光源の消灯を要求する信号を受信してあり、電源検出部（１７）で電源印加有りを検出した場合に、設定部（１８）で有モードを設定してあるときは、光源（１６）を点灯状態にする。これにより、壁ＳＷを設けてある場合には、壁ＳＷの入切操作により、光源の点灯・消灯を行うことができる。また、駆動部は、受信部で光源の消灯を要求する信号を受信してあり、電源検出部で電源印加有りを検出した場合に、設定部で無モードを設定してあるときは、光源を消灯状態とする。これにより、壁ＳＷが設置されていない箇所で照明装置を使用する場合でも、停電による意図しない点灯を防止することができる。
【符号の説明】
【００６８】
１３  スイッチング回路
１４  定電流回路
１５  ＰＷＭ制御回路
１６  光源部
１７  電源印加検出回路
１８  制御用マイクロコンピュータ
１９  受光部
【図１】
2014241268.tif 000003
【図２】
2014241268.tif 000004
【図３】
2014241268.tif 000005
【図４】
2014241268.tif 000006
【図５】
2014241268.tif 000007
【図６】
2014241268.tif 000008
【図７】
2014241268.tif 000009
【図８】
2014241268.tif 000010
【図９】
2014241268.tif 000011
【図１０】
2014241268.tif 000012